(57)【特許請求の範囲】
【請求項１】
無線通信システムにおける端末(ＵＥ)から使用可能送信電力情報を受信する方法であって、
前記使用可能送信電力情報を報告するためのタイマーの満了の後に、前記ＵＥから前記使用可能送信電力情報を受信するステップを含み、
ＵＥに割り当てられたアップリンクリソースがメディアアクセス制御（ＭＡＣ）リセットの後に新たな送信のために割り当てられた第１のアップリンクリソースである場合に、前記タイマーを駆動することを特徴とする送信電力情報受信方法。
【請求項２】
前記使用可能送信電力情報は、パワーヘッドルーム報告(ＰＨＲ）を含むことを特徴とする請求項１に記載の送信電力受信方法。
【請求項３】
前記使用可能送信電力情報を報告するためのタイマーは、パワーヘッドルーム報告周期的タイマーを含むことを特徴とする請求項１に記載の送信電力受信方法。
【請求項４】
タイマーの満了後に、前記使用可能送信電力はＭＡＣレイヤメッセージを通して前記基地局に報告されることを特徴とする請求項１に記載の送信電力受信方法。
【請求項５】
無線通信システムにおける端末(ＵＥ)から使用可能送信電力情報を受信する基地局であって、
前記使用可能送信電力情報を報告するためのタイマーの満了の後に、前記ＵＥから前記使用可能送信電力情報を受信する受信部を含み、
ＵＥに割り当てられたアップリンクリソースがメディアアクセス制御（ＭＡＣ）リセットの後に新たな送信のために割り当てられた第１のアップリンクリソースである場合に、前記タイマーを駆動することを特徴とする基地局。
【請求項６】
前記使用可能送信電力情報は、パワーヘッドルーム報告(ＰＨＲ）を含むことを特徴とする請求項５に記載の基地局。
【請求項７】
前記使用可能送信電力情報を報告するためのタイマーは、パワーヘッドルーム報告周期的タイマーを含むことを特徴とする請求項５に記載の基地局。
【請求項８】
タイマーの満了の後に、前記使用可能送信電力はＭＡＣレイヤメッセージを通して前記基地局に報告されることを特徴とする請求項５に記載の基地局。
【発明の詳細な説明】
【技術分野】
【０００１】
本発明は、無線通信システムにおける端末（User Equipment：以下、“ＵＥ”と称する）がスケジューリング情報を送信する方法及び装置に関し、特に、無線通信システムにおける端末が使用可能送信電力情報（すなわち、パワーヘッドルーム報告）を送信する方法及び装置に関する。
【背景技術】
【０００２】
ユニバーサル移動通信サービス（Universal Mobile Telecommunication Service：以下、“ＵＭＴＳ”と称する）システムは、非同期通信システムである移動通信用グローバルシステム（Global System for Mobile Communications：ＧＳＭ（登録商標））及び汎用パケット無線サービス（General Packet Radio Services：ＧＰＲＳ）に基づいており、広帯域符号分割多元接続（Wideband Code Division Multiple Access：以下、“ＷＣＤＭＡ”と称する。）を使用する第３世代の無線通信システムである。以前にＵＭＴＳシステムの標準化を担当している第３世代パートナーシッププロジェクト（3rd Generation Partnership Project：以下、“３ＧＰＰ”と称する）においては、ＵＭＴＳシステムを改良した無線通信システムとしてダウンリンクで最大１０Ｍｂｐｓ程度の送信速度をサポートすることができる高速ダウンリンクパケットアクセス（ＨＳＤＰＡ）／高速アップリンクパケットアクセス（ＨＳＵＰＡ）システムを提案している。また、ＨＳＤＰＡ／ＨＳＵＰＡシステムは、現在商用化されており、サービスを提供している。
【０００３】
ＨＳＤＰＡ／ＨＳＵＰＡシステムが提案された後に、３ＧＰＰでは、もっと最近に、進化した次世代無線通信システムとしてロングタームエボルーション（Long Term Evolution：以下、“ＬＴＥ”と称する）システムを提案した。ＬＴＥシステムは、最大１００Ｍｂｐｓ程度の送信速度を有する高速パケット基盤通信を実現し得る。したがって、ＬＴＥシステムの商用化のための多くの研究がなされている。
【０００４】
３ＧＰＰで提案したＨＳＤＰＡ／ＨＳＵＰＡシステム及びＬＴＥシステムの両方では、基地局（Node B or Evolved Node B）（以下、“ＥＮＢ”と称する）がＵＥへの送信リソースの割り当てをスケジューリングするためにスケジューリング情報をＵＥから受信する。このスケジューリング情報は、例えば、ＵＥのバッファ状態情報及び使用可能送信電力情報などを含み得る。
【０００５】
このバッファ状態情報は、ＵＥの送信バッファに送信しなければならないデータがどのくらいあるかをＵＥがＥＮＢに通知する情報である。この使用可能送信電力情報は、ＵＥがアップリンク送信のために使用可能な電力量がどのくらいであるかをＥＮＢに通知する情報である。この使用可能送信電力情報を受信したＥＮＢは、ＵＥの最大出力制限によるスケジューリングエラーを避けるためにスケジューリングを実行する。
【０００６】
図１は、ＬＴＥシステムの構造を示す図である。
【０００７】
図１を参照すると、次世代無線アクセスネットワーク（Evolved Radio Access Network：以下、“Ｅ-ＲＡＮ”と称する）１１０及び１１２は、ＥＮＢ１２０、１２２、１２４、１２６、及び１２８と、上位ノード（アクセスゲートウェイとも呼ばれる）１３０及び１３２とを含む２ノード構造に簡素化される。ＵＥ１０１は、Ｅ-ＲＡＮ１１０及び１１２を介してインターネットプロトコル（Internet Protocol：ＩＰ）ネットワーク１１４にアクセスする。ＥＮＢ１２０乃至１２８は、既存のＵＭＴＳシステムのレガシーノードＢに対応する。ＥＮＢ１２０乃至１２８の各々は、無線チャネルによりＵＥ１０１に接続され、レガシーノードＢにより実行される機能と比較した際に複雑な機能を実行する。
【０００８】
ＬＴＥシステムにおいて、インターネットプロトコルに基づくＶｏＩＰ（Voice over IP）のようなリアルタイムサービスを含むすべてのユーザトラフィックが共用チャネル（shared channel）を介してサービスされるので、ＵＥの状況情報を集めることによりスケジューリングを実行する装置が必要であり、このようなスケジューリングは、ＥＮＢ１２０乃至１２８により管理される。通常、ＥＮＢ１２０乃至１２８の中の１つは、複数のセルを制御する。図１において、ＥＮＢ１２２が制御ＥＮＢであると仮定する。
【０００９】
最大１００Ｍｂｐｓの送信速度を実現するために、ＬＴＥシステムは、最大２０ＭＨｚ帯域幅で直交周波数分割多重方式（Orthogonal Frequency  Division Multiplexing：以下、“ＯＦＤＭ”と称する）を無線接続技術として使用する。また、ＬＴＥシステムは、ＵＥのチャネル状態に応じて変調方式（modulation scheme）及びチャネル符号化率を決定するために適応変調符号化（Adaptive Modulation & Coding：以下、“ＡＭＣ”と称する）方式を使用する。
【００１０】
例えば、ＥＮＢ１２２は、送信リソースをＵＥ１０１に割り当てる動作、すなわちスケジューリング動作を実行するためにＵＥ１０１から様々なスケジューリング情報に関する報告を受信する。このようなスケジューリング情報の例は、ＵＥ１０１が送信バッファに格納しているデータの量及び種類に関するバッファ状態情報（Buffer Status Report：以下、“ＢＳＲ”と称する）と、ＵＥ１０１の使用可能送信電力に関する使用可能送信電力情報とを含む。
【００１１】
ＢＳＲは、アップリンク送信のためにＵＥ１０１が送信バッファに格納しているデータの量を優先順位別に示す情報である。特定の条件を満足する場合に、ＵＥ１０１は、ＢＳＲを生成し、これをＥＮＢ１２２に送信する。例えば、このような特定の条件は、データを格納していないＵＥ１０１に現在送信する新たなデータが発生したか、又は以前にＢＳＲを送信した後に所定の時間が経過した状況などを含み得る。
【００１２】
この使用可能送信電力情報は、ＵＥ１０１の現在のチャネル状況に基づいて、ＵＥ１０１がアップリンクデータ送信のために使用することができる使用可能電力を示す情報である。この使用可能送信電力情報は、メディアアクセス制御（ＭＡＣ）レイヤのメッセージを用いてＵＥ１０１からＥＮＢ１２２に送信され、通常、アップリンクパワーヘッドルーム（Uplink Power Headroom：ＵＰＨ）又はパワーヘッドルーム報告（Power Headroom Report：ＰＨＲ）と呼ばれる。下記の説明において、この使用可能送信電力情報は、ＰＨＲと呼ばれる。
【００１３】
より具体的に、ＰＨＲは、ＵＥ１０１がＥＮＢ１２２からの割り当てを受けた送信リソース及び変調符号化方式（Modulation Coding Scheme：以下、“ＭＣＳ”と称する）を用いてアップリンク送信を実行する際に、アップリンク送信のために要求される要求送信電力とＵＥ１０１の最大送信電力間の差として定義される。このＰＨＲを計算する方式は、システムの条件により適切に変形され得る。
【００１４】
次のような特定の条件が満足する場合には、ＵＥ１０１は、ＰＨＲを生成した後に、これをＥＮＢ１２２に送信する。
【００１５】
条件１）ＵＥ１０１が測定する経路損失の変化は、所定のしきい値を超過する。
条件２）ＵＥ１０１がＰＨＲを送信した後に所定の時間が経過した。
アップリンク送信を実行する前に、ＵＥ１０１は、上述した２つの条件の中のいずれか１つが満足するか否かを検査し、１つの条件でも満足する場合には、送信の間にアップリンク送信パケットにＰＨＲを含ませる。ＬＴＥシステムにおいて、ＰＨＲを運搬するパケットは、ＭＡＣプロトコルデータユニット（ＰＤＵ）を含む。
【００１６】
通常、上述した条件１）により発生したＰＨＲは、正規ＰＨＲ（regular PHR）と呼ばれ、上述した条件２）により発生したＰＨＲは、周期的ＰＨＲ（periodic PHR）と呼ばれる。
【００１７】
ＬＴＥシステムにおいて、この周期的ＰＨＲの生成は、タイマー、すなわち、ＰＨＲ周期的タイマーにより制御される。ＵＥ１０１は、周期的ＰＨＲを送信した後にＰＨＲ周期的タイマーを駆動し、このＰＨＲ周期的タイマーが満了した際に、ＵＥ１０１は、送信される１番目のＭＡＣ  ＰＤＵ内に次の周期的ＰＨＲを含ませ、ＰＨＲ周期的タイマーを再駆動する。ＵＥ１０１は、このような動作を繰り返す。
【００１８】
付加的に、ＵＥ１０１は、ソースセルのＥＮＢからハンドオーバ命令を受信するためにＭＡＣをリセットする。ＭＡＣリセット過程において、ＵＥ１０１は、現在駆動中であるＰＨＲ周期的タイマーを含むすべてのタイマーを中止させる。このＰＨＲ周期的タイマーは、ＰＨＲが生成された場合のみに再駆動されるために、新たなＰＨＲがターゲットセルで生成されない限り、この中止されたＰＨＲ周期的タイマーも再駆動されない。
【００１９】
したがって、正規ＰＨＲを除外し、周期的ＰＨＲだけがＵＥに設定されている場合に、この新たなＰＨＲは、ＰＨＲ周期的タイマーの満了のみで生成される。しかしながら、上述したように、ＭＡＣリセットにより、このＰＨＲ周期的タイマーが中止され再駆動されないために、ＵＥがターゲットセルにハンドオーバした後に周期的ＰＨＲをこれ以上生成しないという問題点があった。
【発明の概要】
【発明が解決しようとする課題】
【００２０】
本発明の目的は、少なくとも上述した問題点及び／又は不都合に取り組み、少なくとも以下の便宜を提供することにある。すなわち、本発明の目的は、無線通信システムにおいてＵＥがＥＮＢに送信したスケジューリング情報の送信中断を防止するための方法及び装置を提供することにある。
【００２１】
本発明の他の目的は、無線通信システムにおいてＵＥがＥＮＢに送信した使用可能送信電力情報の送信中断を防止するための方法及び装置を提供することにある。
【００２２】
本発明のまた他の目的は、無線通信システムにおいてＭＡＣリセットの発生の際にＵＥの使用可能送信電力情報を報告するための方法及び装置を提供することにある。
【００２３】
本発明のさらなる他の目的は、無線通信システムにおいてＭＡＣリセットの発生の際にＵＥの使用可能送信電力情報の送信を再開するための方法及び装置を提供することにある。
【課題を解決するための手段】
【００２４】
上記のような目的を達成するために、本発明の実施形態の一態様によれば、無線通信システムにおける端末（ＵＥ）が使用可能送信電力情報を基地局に報告する方法を提供する。上記方法は、上記端末がアップリンクリソースを受信するステップと、上記アップリンクリソースがメディアアクセス制御（ＭＡＣ）リセットの後に新たな送信のために割り当てられた１番目のアップリンクリソースであるか否かを判定するステップと、上記割り当てられたアップリンクリソースが上記メディアアクセス制御リセットの後に上記新たな送信のために割り当てられた上記１番目のアップリンクリソースである場合に、上記使用可能送信電力情報を報告するためのタイマーを駆動するステップと、上記タイマーの満了の際に上記使用可能送信電力情報を報告するステップとを含む。
【００２５】
本発明の実施形態の他の態様によれば、無線通信システムにおける基地局に使用可能送信電力情報を報告する端末（ＵＥ）装置を提供する。上記端末装置は、無線チャネルを通してメッセージを送受信する送受信部と、上記基地局との通信のためのメディアアクセス制御（ＭＡＣ）処理を実行するメディアアクセス制御処理部と、メディアアクセス制御リセットの後に受信されるアップリンクリソースが新たな送信のために割り当てられた１番目のアップリンクリソースであるか否かに基づいて上記使用可能送信電力情報の周期的送信を制御する制御部とを含む。
【００２６】
本発明のさらに他の態様によれば、無線通信システムにおける端末が使用可能送信電力情報を基地局に報告する方法を提供する。上記方法は、上記端末がアップリンクリソースを受信するステップと、上記アップリンクリソースがメディアアクセス制御（ＭＡＣ）リセットの後に新たな送信のために割り当てられた１番目のアップリンクリソースであるか否かを判定するステップと、上記割り当てられたアップリンクリソースが上記メディアアクセス制御リセットの後に上記新たな送信のために割り当てられた１番目のアップリンクリソースである場合に、上記使用可能送信電力情報を生成し、上記基地局に送信するステップとを含む。
【発明の効果】
【００２７】
本発明によれば、ＵＥは、ＭＡＣリセットの発生の際に周期的な使用可能送信電力情報の送信中断を防止することができる。同様に、ＵＥは、新たなセルにハンドオーバした後に周期的な使用可能送信電力報告の中断を防止することもできる。
【００２８】
本発明の一実施形態の目的、特性、及び長所は、添付した図面と共に以下の説明により、さらに明確になるはずである。
【図面の簡単な説明】
【００２９】
【図１】ＬＴＥシステムの構造を示す図である。
【図２】本発明の実施形態によるＵＥの動作を示すフローチャートである。
【図３】本発明の実施形態によるＵＥの動作を示すフローチャートである。
【図４】本発明の実施形態によるＵＥの動作を示すフローチャートである。
【図５】本発明の実施形態によるＵＥの動作を示すフローチャートである。
【図６】本発明の実施形態によるＵＥ装置を示すブロック図である。
【発明を実施するための形態】
【００３０】
以下、本発明を実施するための形態を、図面を参照しながら詳細に説明する。下記の説明において、明瞭性と簡潔性の観点から、本発明に関連した公知の機能や構成に関する具体的な説明が本発明の要旨を不明瞭にすると判断される場合には、その詳細な説明を省略する。また、後述する用語は、本発明の機能を考慮して定義されたものであって、ユーザー、運用者の意図、又は慣例によって変わり得る。したがって、上記用語は、本明細書の全体内容に基づいて定義されなければならない。
【００３１】
上述したように、本発明は、ターゲットセルへのハンドオーバを実行した後にＭＡＣリセットによりターゲットセルでこれ以上ＰＨＲを生成しない周期的ＰＨＲだけが設定されている通常のＵＥで発生する問題点を解決するための方法及び装置を提供する。したがって、以下、本明細書において、特別な言及がない限り、用語“ＰＨＲ”は、“周期的ＰＨＲ”として解釈される。
【００３２】
本発明の実施形態は、図１に図示し説明したＬＴＥシステムと関連して説明されるが、ＵＥに対応する移動局（mobile station）がＥＮＢに対応する基地局（base station）に使用可能送信電力情報又は周期的な送信が必要なスケジューリング情報を送信するシステムである場合に、同一の方式で適用され得る。すなわち、本発明は、ＵＥがスケジューリング情報の送信のためのタイマーを駆動し、ＵＥのハンドオーバの際にそのタイマーがリセットされるシステムである場合に、同一の方式で適用され得る。
【００３３】
本発明の実施形態に従って、ＵＥでＭＡＣリセットが発生した後に、ＵＥは、ＰＨＲの生成と関連したタイマーを除いたすべてのタイマーを中止させる。
【００３４】
本発明の他の実施形態に従って、ＵＥでＭＡＣリセットが発生した後に、ＵＥは、すべてのタイマーを中止させ、ＭＡＣリセットが完了する際にＰＨＲの生成と関連したタイマーを再駆動させる。
【００３５】
本発明の他の実施形態に従って、ＵＥでＭＡＣリセットが発生した後に、ＵＥは、ＥＮＢから１番目のアップリンクグラント（uplink grant）を受信した後に、ＰＨＲの生成と関連したタイマーを再駆動させる。
【００３６】
本発明の他の実施形態に従って、ＵＥでＭＡＣリセットが発生した後に、ＵＥは、ＥＮＢから１番目のアップリンクグラントを受信した後にＰＨＲを生成する。
【００３７】
以下、上述した本発明の実施形態をより詳細に説明する。ＵＥのハンドオーバの際に、ＵＥでＭＡＣリセットが発生することを仮定する。しかしながら、本発明の実施形態は、ＭＡＣリセットが他の理由で発生した場合にも適用され得る。
【００３８】
図２は、本発明の実施形態によるＵＥの動作を示すフローチャートであり、ＭＡＣリセットの発生の際に、ＵＥは、ＰＨＲ周期的タイマーを制御する。
【００３９】
上述したように、ＭＡＣリセットの際に、ＵＥがＰＨＲ生成のためのＰＨＲ周期的タイマーの駆動を中止させるために、本発明により解決される問題が発生する。したがって、このような問題を解決するために、本発明の実施形態に従って、図２に示すように、ＵＥは、ＰＨＲ周期的タイマーを除いたすべてのタイマーを中止させる。ＵＥでＭＡＣリセットの際に、ＰＨＲ周期的タイマーを除き、中止されるすべてのタイマーは、３ＧＰＰ  ＴＳ  ３６．３２１，セクション５．４．５を参照する。
【００４０】
図２を参照すると、ステップ２０５で、ＵＥのハンドオーバの前にＭＡＣリセットが発生する。ＭＡＣリセットは、一般的にハンドオーバを開始する前に実行され、ＵＥは、ＥＮＢからハンドオーバ命令を受信する際にＭＡＣをリセットする。
【００４１】
ステップ２１０で、ＵＥは、ＭＡＣリセットの間に、ＰＨＲ周期的タイマーが駆動中であるか否かを検査する。このＰＨＲ周期的タイマーが駆動中である場合に、ＵＥは、ステップ２１５で、このＰＨＲ周期的タイマーを除いたすべてのタイマーを中止させる。しかしながら、ステップ２１０で、このＰＨＲ周期的タイマーがＭＡＣリセットの間に駆動中でない場合、例えば、このＰＨＲ周期的タイマーが設定されていない場合に、ＵＥは、ステップ２２０で、ＵＥ内のすべてのタイマーを中止させる。
【００４２】
図３は、本発明の他の実施形態によるＵＥの動作を示すフローチャートであり、ＭＡＣリセットの発生の際に、ＵＥは、ＰＨＲ周期的タイマーを中止させ、ＭＡＣリセットが完了した後にＰＨＲ周期的タイマーを再駆動させる。ＭＡＣリセットが完了した後にＰＨＲ周期的タイマーを再駆動させることにより、周期的ＰＨＲは、ＭＡＣリセットの後にも継続して発生することができる。
【００４３】
図３を参照すると、ＭＡＣリセットは、ステップ３０５で、ＵＥのハンドオーバの前に開始する。ＵＥは、ステップ３１０で、ＵＥで駆動中であるすべてのタイマーを中止させる。ＵＥは、ステップ３１５で、残りのＭＡＣリセット過程を実行する。この残りのＭＡＣリセット過程は、例えば、駆動中であるＭＡＣ過程を終了し、ＭＡＣレイヤに割り当てられたリソースを解除する手順を含む。
【００４４】
ステップ３１５で、ＭＡＣリセット過程が完了した後に、ＵＥは、ステップ３２０で、ＰＨＲの生成のためのＰＨＲ周期的タイマーがＭＡＣリセットの前に設定されたか否かを判定する。ＰＨＲ周期的タイマーが前に設定された場合に、ＵＥは、ステップ３１０で、ＰＨＲ周期的タイマーがＭＡＣリセット過程で中止されたことを確認し、ステップ３２５で、ＰＨＲ周期的タイマーを再駆動させた後に、ステップ３３０で、次の手順を進行する。この次の手順は、例えば、ターゲットセルでのランダムアクセス過程を含み得る。ステップ３２０で、ＰＨＲ周期的タイマーが前に設定されていない場合に、ＵＥは、ステップ３３０で次の手順を行う。
【００４５】
図４は、本発明の他の実施形態によるＵＥの動作を示すフローチャートであり、ＵＥは、ＭＡＣリセット過程が完了した後に、１番目のアップリンクグラントを受信する際にＰＨＲ周期的タイマーを再駆動させる。このように、ＵＥは、ＭＡＣリセット過程の完了後に、ＰＨＲ周期的タイマーを即座に再駆動させず、ターゲットセルのＥＮＢから受信される１番目のアップリンクグラントを待機する。その理由は、一般的に、ＵＥがＭＡＣリセットの後に１番目のアップリンクグラントを通して割り当てられたリソースを用いて重要な制御メッセージ、例えば、ハンドオーバ完了メッセージを送信するためである。したがって、ＭＡＣリセットが完了した後に、ＵＥがＰＨＲ周期的タイマーを即座に再駆動させた場合に、ＵＥは、１番目のアップリンクグラントを受信した後に、ターゲットセルのＥＮＢに重要な制御メッセージを送信する時点でＰＨＲ周期的タイマーが満了するため、この重要な制御メッセージ又は制御メッセージの一部の代わりにＰＨＲを送信すべき場合が発生し得る。しかしながら、図４に示すように、ＭＡＣリセットが発生した後に、ＵＥが１番目のアップリンクグラントを受信した際にＰＨＲ周期的タイマーを再駆動させる場合に、ＰＨＲが１番目のアップリンク送信の間に送信されることを防止することができる。
【００４６】
図４を参照すると、ＵＥは、ステップ４０５で、ターゲットセルのＥＮＢからターゲットセルで新たな送信のためのアップリンクリソースの割り当てを示すアップリンクグラントを受信する。ＵＥは、ステップ４１０で、このアップリンクグラントが以前のＭＡＣリセットの後に受信される１番目のアップリンクグラントであるか否かを判定する。
【００４７】
このＭＡＣリセットの後にはじめに受信されるアップリンクグラントは、ＵＥがターゲットセルへのハンドオーバの後にはじめに受信するアップリンクグラントと同一である。基本的に、アップリンクグラントは、新たな送信のためのアップリンクグラント及び再送信のためのアップリンクグラントとして分類することができ、本発明において、アップリンクグラントは、新たな送信に対するアップリンクグラントとして解釈されなければならない。
【００４８】
ステップ４１０で、このアップリンクグラントがＭＡＣリセットの後にはじめに受信されるアップリンクグラントである場合に、ＵＥは、ステップ４１５で、ＰＨＲ周期的タイマーを再駆動させる。したがって、ＵＥは、ＭＡＣリセットの後にも周期的ＰＨＲをターゲットセルのＥＮＢに送信することができる。
【００４９】
しかしながら、ステップ４１０で、このアップリンクグラントがＭＡＣリセットの後にはじめに受信されるアップリンクグラントでない場合に、例えば、ステップ４１５での動作がすでに実行された場合に、ＵＥは、ステップ４２０で、アップリンク送信過程を進める。
【００５０】
図５は、本発明の他の実施形態によるＵＥの動作を示すフローチャートであり、ハンドオーバが行われた後、すなわち、ＭＡＣリセットが完了した後にも、ＵＥは、ターゲットセルで周期的ＰＨＲを送信し得る。特に、ＵＥは、ＰＨＲが生成される際にＰＨＲ周期的タイマーが自動で再駆動されるために、ＭＡＣリセット過程を完了した後にＰＨＲを生成する。
【００５１】
図５を参照すると、ＵＥは、ステップ５０５で、アップリンクグラントをターゲットセルから受信する。ステップ５１０で、ＵＥは、このアップリンクグラントが以前のＭＡＣリセットを実行した後に受信される１番目のアップリンクグラントであるか否かを判定する。このアップリンクグラントが１番目のアップリンクグラントである場合に、ＵＥは、ＭＡＣリセットの後にも周期的ＰＨＲを送信するためにステップ５１５でＰＨＲを生成した後に、ステップ５２０でアップリンク送信過程を実行する。したがって、ＵＥは、ハンドオーバの後にもターゲットセルで周期的ＰＨＲを送信することができる。しかしながら、ステップ５１０で、このアップリンクグラントが以前のＭＡＣリセット後に受信される１番目のアップリンクグラントでない場合、例えば、ステップ５１５の動作がすでに実行された場合に、ＵＥは、ステップ５２０でアップリンク送信過程をすぐに実行する。
【００５２】
図６は、本発明の実施形態によるＵＥ装置を示すブロック図である。
【００５３】
図６を参照すると、ＵＥ６００は、制御メッセージ処理部６０５と、レイヤ２（Ｌ２）処理部６１５と、ＰＨＲ生成部６１０と、グラント処理部６２０と、送受信部６２５とを含む。
【００５４】
制御メッセージ処理部６０５は、無線網を通して送受信される各種制御メッセージを処理する。この中で、制御メッセージ処理部６０５は、ＥＮＢから受信した制御メッセージがハンドオーバ命令を含む際にＬ２処理部６１５をリセットする。
【００５５】
Ｌ２処理部６１５は、ＭＡＣ処理部を含む。制御メッセージ処理部６０５からリセット命令を受信する際に、Ｌ２処理部６１５は、ＭＡＣリセットによりＭＡＣレイヤのリセットをＰＨＲ生成部６１０に通知する。
【００５６】
ＰＨＲ生成部６１０は、周期的ＰＨＲの生成のためにＰＨＲ周期的タイマーを制御する。例えば、ＰＨＲ生成部６１０は、ＰＨＲ周期的タイマーが駆動、再駆動、及び中止を行うように制御する。
【００５７】
制御メッセージ処理部６０５からＭＡＣリセット通知を受信する際に、ＰＨＲ生成部６１０は、ＰＨＲ周期的タイマーを中止させるか又は再駆動させ得る。特に、図２に示すような本発明の実施形態に従って、ＭＡＣリセットの発生の際に、ＰＨＲ生成部６１０は、他のすべてのタイマーがＵＥで中止されてもＰＨＲ周期的タイマーの駆動を維持させる。
【００５８】
図３に示すような本発明の実施形態に従って、ＰＨＲ生成部６１０は、ＭＡＣリセットの完了の後にＰＨＲ周期的タイマーを再駆動させる。図４に示すような本発明の実施形態に従って、ＰＨＲ生成部６１０は、ＭＡＣリセットの完了の後に、１番目のアップリンクグラントを受信する際にＰＨＲ周期的タイマーを再駆動させる。図５に示すような本発明の実施形態に従って、ＰＨＲ生成部６１０は、ＭＡＣリセットの完了の後に、１番目のアップリンクグラントを受信する際に周期的ＰＨＲを生成する。ＰＨＲ生成部６１０は、この生成された周期的ＰＨＲをＬ２処理部６１５に伝達する。
【００５９】
このＰＨＲ周期的タイマー（図示せず）は、ＰＨＲ生成部６１０に含まれるか、又は個別のタイマーとして備えられ得る。
【００６０】
無線リンク制御（ＲＬＣ）装置又はＭＡＣ装置であるＬ２処理部６１５は、レイヤ３（Ｌ３）制御メッセージを含む上位レイヤデータを適切なサイズでフレーミングし、ハイブリッド自動再送要求（ＨＡＲＱ）動作を適用し、多重化機能を提供することができる。また、Ｌ２処理部６１５は、送受信部６２５から伝達されたデータを元来の上位レイヤデータに復元し、これを適切な上位レイヤに伝達する。また、Ｌ２処理部６１５は、ＰＨＲのような特定の制御メッセージを多重化し、これを送受信部６２５に伝達する。
【００６１】
グラント処理部６２０は、無線チャネルを通して受信したグラントを分析することにより割り当てられた送信リソースを認識する。グラント処理部６２０は、アップリンク送信が可能であることをＰＨＲ生成部６１０に通知し、この割り当てられた送信リソースを用いて無線チャネルを通してデータを送受信し得るように送受信部６２５を制御する。
【００６２】
送受信部６２５は、無線チャネルを通してＬ２処理部６１５から伝達されたＭＡＣ  ＰＤＵを送信する。また、送受信部６２５は、ダウンリンク及びアップリンク送信リソースを割り当てるためのダウンリンクグラント及びアップリンクグラントを、無線チャネルを通してＥＮＢから受信し、このグラントをグラント処理部６２０に伝達する。送受信部６２５は、無線チャネルを通して受信された信号を処理し、これらを適切な上位レイヤに伝達する。
【００６３】
図６の実施形態では、制御メッセージ処理部６０５、Ｌ２処理部６１５、ＰＨＲ生成部６１０、及びグラント処理部６２０の構成要素が個別の装置として図示されたが、この構成要素の一部又は全部を１つの制御部として実現することも可能である。
【００６４】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【００６５】
６００  ＵＥ
６０５  制御メッセージ処理部
６１０  ＰＨＲ生成部
６１５  レイヤ２（Ｌ２）処理部
６２０  グラント処理部
６２５  送受信部
【図１】
0005508564.tif 000002
【図２】
0005508564.tif 000003
【図３】
0005508564.tif 000004
【図４】
0005508564.tif 000005
【図５】
0005508564.tif 000006
【図６】
0005508564.tif 000007